(57)【要約】【課題】充電器を使用するユーザ、充電器を販売する販売業者、及び充電器を製造する製造業者それぞれの利用目的に応じて、充電器の状態を示す状態情報を表示させる。【解決手段】充電器２から得られる充電器２の状態を示す状態情報を記憶する記憶部３３と、記憶部３３に記憶される状態情報を、ユーザ、販売業者、及び製造業者向けの稼働状況情報、販売業者及び前記製造業者向けのエラー情報、並びに、製造業者向けのすべての状態情報に加工する処理部４２と、処理部４２で加工された情報を、ユーザ、販売業者、及び製造業者に向けて表示する表示部６３とを備えて状態表示システムを構成する。【選択図】図１
2017028896.tif 000002
【特許請求の範囲】
【請求項１】
充電器から得られる前記充電器の状態を示す状態情報を記憶する記憶部と、
前記記憶部に記憶される状態情報を加工する加工部と、
前記加工部で加工された情報を、前記充電器を使用するユーザ、前記充電器を販売する販売業者、及び前記充電器を製造する製造業者に向けて表示する表示部と、
を備え、
前記加工部で加工された情報は、前記ユーザ、前記販売業者、及び前記製造業者向けの前記充電器の稼働状況を示す稼働状況情報、前記販売業者及び前記製造業者向けの前記充電器のエラーを示すエラー情報、並びに、前記製造業者向けのすべての前記状態情報である
ことを特徴とする充電器の状態表示システム。
【請求項２】
請求項１に記載の充電器の状態表示システムであって、
広告情報を前記表示部に表示させるアドサーバをさらに備える
ことを特徴とする充電器の状態表示システム。
【請求項３】
蓄積装置と、加工装置と、端末とを備える充電器の状態表示システムであって、
前記蓄積装置は、記憶部と、前記充電器から送信される前記充電器の状態を示す状態情報を前記記憶部に記憶させる処理部とを備え、
前記加工装置は、前記蓄積装置から送信される前記状態情報を加工する加工部を備え、
前記端末は、前記加工装置から送信される情報を、前記充電器を使用するユーザ、前記充電器を販売する販売業者、及び前記充電器を製造する製造業者に向けて表示する表示部を備え、
前記加工装置から前記端末へ送信される情報は、前記ユーザ、前記販売業者、及び前記製造業者向けの前記充電器の稼働状況を示す稼働状況情報、前記販売業者及び前記製造業者向けの前記充電器のエラーを示すエラー情報、並びに、前記製造業者向けのすべての前記状態情報である
ことを特徴とする充電器の状態表示システム。
【発明の詳細な説明】
【技術分野】
【０００１】
本発明は、充電器の状態を表示する技術に関する。
【背景技術】
【０００２】
電動フォークリフトやプラグインハイブリッド車など、電動モータの動力を利用して走行する車両の普及に伴い、車両に搭載される電池を充電する充電器の状態を示す状態情報を、充電器を使用するユーザ、充電器を販売する販売業者、及び充電器を製造する製造業者に向けて表示する技術の向上が図られている。
【０００３】
関連する技術として、例えば、車両に搭載される電池の状態を示す状態情報を、電池を使用するユーザ、電池を販売する販売業者、及び電池を製造する製造業者に向けて表示する技術が知られている。例えば、特許文献１参照。
【先行技術文献】
【特許文献】
【０００４】
【特許文献１】特許第４８９３７０３号公報
【発明の概要】
【発明が解決しようとする課題】
【０００５】
しかしながら、ユーザ、販売業者、及び製造業者それぞれで把握したい情報は互いに異なるため、ユーザ、販売業者、及び製造業者それぞれの利用目的に応じて、充電器の状態を示す状態情報を表示させる必要がある。
【０００６】
本発明の一側面に係る目的は、ユーザ、販売業者、及び製造業者それぞれの利用目的に応じて、充電器の状態を示す状態情報を表示させることである。
【課題を解決するための手段】
【０００７】
本発明に係る一つの形態である充電器の状態表示システムは、充電器から得られる前記充電器の状態を示す状態情報を記憶する記憶部と、前記記憶部に記憶される状態情報を加工する加工部と、前記加工部で加工された情報を、前記充電器を使用するユーザ、前記充電器を販売する販売業者、及び前記充電器を製造する製造業者に向けて表示する表示部とを備える。
【０００８】
前記加工部で加工された情報は、前記ユーザ、前記販売業者、及び前記製造業者向けの前記充電器の稼働状況を示す稼働状況情報、前記販売業者及び前記製造業者向けの前記充電器のエラーを示すエラー情報、並びに、前記製造業者向けのすべての前記状態情報である。
【発明の効果】
【０００９】
本発明は、ユーザ、販売業者、及び製造業者それぞれの利用目的に応じて、充電器の状態を示す状態情報を表示させることができる。
【図面の簡単な説明】
【００１０】
【図１】実施形態の充電器の状態表示システムの一例を示す図である。
【図２】Ｗｅｂサーバの処理部の動作の一例を示すフローチャートである。
【図３】データサーバの記憶部に記憶される情報の一例を示す図である。
【図４】Ｗｅｂサーバの記憶部に記憶される情報の一例を示す図である。
【図５】端末の表示部に表示される画面の一例を示す図である。
【発明を実施するための形態】
【００１１】
以下図面に基づいて実施形態について詳細を説明する。
図１は、実施形態の充電器の状態表示システムの一例を示す図である。
図１に示す状態表示システムは、車両１と、充電器２と、データサーバ３（蓄積装置）と、Ｗｅｂサーバ４（加工装置）と、アドサーバ（Advertisement sever）５と、端末６とを備える。なお、車両１、充電器２、及び端末６のそれぞれの数は特に限定されない。
【００１２】
車両１は、例えば、電動フォークリフトやプラグインハイブリッド車など、電動モータの動力を利用して走行する車両であり、電池１１と、電池監視部１２と、通信部１３とを備える。
【００１３】
電池１１は、例えば、リチウムイオン電池であり、車両１に搭載される電動モータやその他の電装機器などに電力を供給する。また、電池１１は、充電器２から電力線ＰＬを介して供給される電力により充電される。
【００１４】
電池監視部１２は、不図示のセンサから電池１１の電圧、電池１１に流れる電流、及び電池１１の温度などを取得し、電池１１が異常であると判断すると、充電器２から電池１１へ供給される電力を遮断する。また、電池監視部１２は、電池１１の電圧、電池１１に流れる電流、及び電池１１の温度などに基づいて電流指令値を求める。また、電池監視部１２は、通信部１３により、電流指令値を通信線ＣＬ１を介して充電器２へ送信させる。
【００１５】
なお、電池監視部１２は、例えば、ＣＰＵ（Central Processing Unit）、マルチコアＣＰＵ、プログラマブルなデバイス（ＦＰＧＡ（Field Programmable Gate Array）やＰＬＤ（Programmable Logic Device）など）により構成される。
【００１６】
充電器２は、通信部２１と、電力供給部２２と、充電制御部２３とを備える。
通信部２１は、車両１から送信される電流指令値を受信する。
電力供給部２２は、例えば、ＡＣ／ＤＣコンバータであって、不図示の商用電源から供給される電力を電力線ＰＬを介して車両１へ供給する。
【００１７】
充電制御部２３は、受信した電流指令値に基づいて電力供給部２２の出力電流を制御する。また、充電制御部２３は、通信部２１により、充電器２の状態を示す状態情報をネットワークＮＷ１（例えば、携帯電話回線などの専用線）を介してデータサーバ３へ送信させる。例えば、状態情報は、充電器２を識別するための状態情報Ｉ１、充電器２の稼働状況を示す状態情報Ｉ２、充電器２の電力供給先の電池１１の充電率（ＳＯＣ（Ｓｔａｔｅ  Ｏｆ  Ｃｈａｒｇｅ））を示す状態情報Ｉ３、充電器２にエラーが発生した日時を示す状態情報Ｉ４、充電器２に発生したエラーの内容を示す状態情報Ｉ５、及び充電器２の出力電流を示す状態情報Ｉ６などである。
【００１８】
なお、充電制御部２３は、例えば、ＣＰＵ、マルチコアＣＰＵ、プログラマブルなデバイス（ＦＰＧＡやＰＬＤなど）により構成される。
また、充電器２から車両１へ非接触で電力を供給するとともに、通信部１３と通信部２１とが無線で情報を送受信する場合は、電力線ＰＬや通信線ＣＬ１を省略することができる。
【００１９】
データサーバ３は、通信部３１と、処理部３２と、記憶部３３とを備える。
通信部３１は、充電器２から送信される状態情報を受信する。
処理部３２は、受信した状態情報を記憶部３３に記憶させる。また、処理部３２は、Ｗｅｂサーバ４から送信される状態情報送信要求に対応する状態情報を記憶部３３から取り出し、通信部３１により、通信線ＣＬ２を介してＷｅｂサーバ４へ送信させる。
【００２０】
なお、処理部３２は、例えば、ＣＰＵ、マルチコアＣＰＵ、プログラマブルなデバイス（ＦＰＧＡやＰＬＤなど）により構成される。また、記憶部３３は、例えば、ＲＯＭ（Read Only Memory）またはＲＡＭ（Random Access Memory）などのメモリやハードディスクにより構成される。
【００２１】
Ｗｅｂサーバ４は、通信部４１と、処理部４２（加工部）と、記憶部４３とを備える。
通信部４１は、データサーバ３から送信される状態情報や端末６から送信されるＷｅｂページ送信要求などを受信する。
【００２２】
処理部４２は、通信部４１により、状態情報送信要求を通信線ＣＬ２を介してデータサーバ３へ送信させる。また、処理部４２は、受信した状態情報を加工してＷｅｂページを作成する。また、処理部４２は、通信部４１により、Ｗｅｂページ送信要求などに対応するＷｅｂページ（記憶部４３に予め記憶されているＷｅｂページや処理部４２で作成されるＷｅｂページ）をネットワークＮＷ２（例えば、インターネットなどの公衆ネットワーク）を介して端末６へ送信させる。
【００２３】
記憶部４３は、ログイン画面（Ｗｅｂページ）や複数種類のメニュー画面（Ｗｅｂページ）を記憶している。また、記憶部４３は、利用者（端末６の操作者）に対して認証処理を行うための「ＩＤ」及び「Ｐａｓｓ  Ｗｏｒｄ」と「利用者種別」との対応関係を示す情報を記憶している。また、記憶部４３は、「利用者種別」と「メニュー画面」との対応関係を示す情報を記憶している。また、記憶部４３は、「表示項目」と「状態情報」との対応関係を示す情報を記憶している。
【００２４】
なお、処理部４２は、例えば、ＣＰＵ、マルチコアＣＰＵ、プログラマブルなデバイス（ＦＰＧＡやＰＬＤなど）により構成される。また、記憶部４３は、例えば、ＲＯＭまたはＲＡＭなどのメモリやハードディスクにより構成される。
【００２５】
アドサーバ５は、Ｗｅｂサーバ４から端末６へ送信されるＷｅｂページに含まれる広告情報送信要求に対応する広告情報をネットワークＮＷ２を介して端末６へ送信する。
端末６は、例えば、パーソナルコンピュータやタブレットであり、通信部６１と、処理部６２と、表示部６３とを備える。
【００２６】
通信部６１は、Ｗｅｂサーバ４から送信されるＷｅｂページやアドサーバ５から送信される広告情報を受信する。
処理部６２は、利用者の指示に基づいて、通信部６１により、Ｗｅｂページ送信要求や「ＩＤ」及び「Ｐａｓｓ  Ｗｏｒｄ」をネットワークＮＷ２を介してＷｅｂサーバ４へ送信させる。また、処理部６２は、通信部６１により、Ｗｅｂページに含まれる広告情報送信要求をネットワークＮＷ２を介してアドサーバ５へ送信させる。また、処理部６２は、受信したＷｅｂページや広告情報を表示部６３に表示させる。
【００２７】
なお、処理部６２は、例えば、ＣＰＵ、マルチコアＣＰＵ、プログラマブルなデバイス（ＦＰＧＡやＰＬＤなど）により構成される。また、表示部６３は、例えば、タッチパネルやＬＣＤ（Liquid Crystal Display）により構成される。
【００２８】
次に、Ｗｅｂサーバ４の処理部４２の動作について説明する。
図２は、処理部４２の動作の一例を示すフローチャートである。
まず、処理部４２は、端末６から送信されるログイン画面送信要求（Ｗｅｂページ送信要求）を受信するまで待機し（Ｓ２１：Ｎｏ）、ログイン画面送信要求を受信すると（Ｓ２１：Ｙｅｓ）、ログイン画面（Ｗｅｂページ）を記憶部４３から取り出し通信部４１によりネットワークＮＷ２を介して端末６に送信させる（Ｓ２２）。端末６の処理部６２は、Ｗｅｂサーバ４から送信されるログイン画面を受信すると、そのログイン画面を表示部６３に表示させる。
【００２９】
次に、処理部４２は、端末６から送信される「ＩＤ」及び「Ｐａｓｓ  Ｗｏｒｄ」を受信するまで待機し（Ｓ２３：Ｎｏ）、「ＩＤ」及び「Ｐａｓｓ  Ｗｏｒｄ」を受信すると（Ｓ２３：Ｙｅｓ）、その受信した「ＩＤ」及び「Ｐａｓｓ  Ｗｏｒｄ」と一致する「ＩＤ」及び「Ｐａｓｓ  Ｗｏｒｄ」が記憶部４３に記憶されているか否かを判断する（Ｓ２４）。
【００３０】
次に、処理部４２は、一致する「ＩＤ」及び「Ｐａｓｓ  Ｗｏｒｄ」が記憶部４３に記憶されていないと判断すると、すなわち、認証が成功しなかった場合（Ｓ２４：Ｎｏ）、再度、認証処理を行うために、ログイン画面を端末６に送信させる（Ｓ２２）。
【００３１】
また、処理部４２は、一致する「ＩＤ」及び「Ｐａｓｓ  Ｗｏｒｄ」が記憶部４３に記憶されていると判断すると、すなわち、認証が成功した場合（Ｓ２４：Ｙｅｓ）、その「ＩＤ」及び「Ｐａｓｓ  Ｗｏｒｄ」に対応するメニュー画面（Ｗｅｂページ）を記憶部４３から取り出し通信部４１によりネットワークＮＷ２を介して端末６へ送信させる（Ｓ２５）。端末６の処理部６２は、Ｗｅｂサーバ４から送信されるメニュー画面を受信すると、そのメニュー画面を表示部６３に表示させる。
【００３２】
次に、処理部４２は、端末６から送信される表示項目画面送信要求（Ｗｅｂページ送信要求）を受信するまで待機し（Ｓ２６：Ｎｏ）、表示項目画面送信要求を受信すると（Ｓ２６：Ｙｅｓ）、その表示項目画面送信要求に示される「表示項目」に対応する状態情報をデータサーバ３から取得し、その取得した状態情報を加工して表示項目画面（Ｗｅｂページ）を作成する（Ｓ２７）。
【００３３】
そして、処理部４２は、その表示項目画面を通信部４１によりネットワークＮＷ２を介して端末６に送信させる（Ｓ２８）。端末６の処理部６２は、Ｗｅｂサーバ４から送信される表示項目画面を受信すると、その表示項目画面を表示部６３に表示させる。
【００３４】
次に、データサーバ３の記憶部３３に記憶される情報について説明する。
図３は、記憶部３３に記憶される状態情報Ｉ１〜Ｉ６の一例を示す図である。
記憶部３３に記憶される状態情報Ｉ２〜Ｉ６は、それぞれ、記憶部３３に記憶される状態情報Ｉ１に紐付けられている。
【００３５】
図３に示す例では、「状態情報Ｉ２：充電中」、「状態情報Ｉ３：９０％」、「状態情報Ｉ４：ＮＵＬＬ」、「状態情報Ｉ５：ＮＵＬＬ」、及び「状態情報Ｉ６：５０Ａ」が「状態情報Ｉ１：１」に紐付けられている。また、「状態情報Ｉ２：停止中」、「状態情報Ｉ３：ＮＵＬＬ」、「状態情報Ｉ４：２０１５／０３／２０」、「状態情報Ｉ５：フィルタ劣化」、及び「状態情報Ｉ６：ＮＵＬＬ」が「状態情報Ｉ１：２」に紐付けられている。また、「状態情報Ｉ２：待機中」、「状態情報Ｉ３：５０％」、「状態情報Ｉ４：ＮＵＬＬ」、「状態情報Ｉ５：ＮＵＬＬ」、及び「状態情報Ｉ６：ＮＵＬＬ」が「状態情報Ｉ１：３」に紐付けられている。
【００３６】
次に、Ｗｅｂサーバ４の記憶部４３に記憶される情報について説明する。
図４（ａ）は、記憶部４３に記憶される「ＩＤ」及び「Ｐａｓｓ  Ｗｏｒｄ」と「利用者種別」との対応関係を示す情報の一例を示す図である。
【００３７】
図４（ａ）に示す例では、「ＩＤ：ＡＡＡ」及び「Ｐａｓｓ  Ｗｏｒｄ：ａａａ」と「利用者種別：Ｕｓｅｒ」とが対応付けられ、「ＩＤ：ＢＢＢ」及び「Ｐａｓｓ  Ｗｏｒｄ：ｂｂｂ」と「利用者種別：Ｄｅａｌｅｒ」とが対応付けられ、「ＩＤ：ＣＣＣ」及び「Ｐａｓｓ  Ｗｏｒｄ：ｃｃｃ」と「利用者種別：Ｍａｋｅｒ」とが対応付けられている。なお、この情報は、販売業者側や製造業者側で設定されるものとする。
【００３８】
図４（ｂ）は、記憶部４３に記憶される「利用者種別」と「メニュー画面」との対応関係を示す情報の一例を示す図である。
図４（ｂ）に示す例では、「利用者種別：Ｕｓｅｒ」と「メニュー画面：メニュー画面Ａ」とが対応付けられ、「利用者種別：Ｄｅａｌｅｒ」と「メニュー画面：メニュー画面Ｂ」とが対応付けられ、「利用者種別：Ｍａｋｅｒ」と「メニュー画面：メニュー画面Ｃ」とが対応付けられている。なお、「メニュー画面Ａ」には利用者により選択可能な「表示項目」として「稼働状況情報」が示され、「メニュー画面Ｂ」には利用者により選択可能な「表示項目」として「稼働状況情報」及び「エラー情報」が示され、「メニュー画面Ｃ」には利用者により選択可能な「表示項目」として「稼働状況情報」、「エラー情報」、及び「状態情報」が含まれているものとする。
【００３９】
図４（ｃ）は、記憶部４３に記憶されている「表示項目」と「状態情報」との対応関係を示す情報の一例を示す図である。
図４（ｃ）に示す例では、「表示項目：稼働状況情報」と「状態情報：状態情報Ｉ１、状態情報Ｉ２、状態情報Ｉ３」とが対応付けられ、「表示項目：エラー情報」と「状態情報：状態情報Ｉ１、状態情報Ｉ４、状態情報Ｉ５」とが対応付けられ、「表示項目：全状態情報」と「状態情報：状態情報Ｉ１、状態情報Ｉ２、状態情報Ｉ３、状態情報Ｉ４、状態情報Ｉ５、状態情報Ｉ６」とが対応付けられている。
【００４０】
次に、利用者がユーザである場合のデータサーバ３、Ｗｅｂサーバ４、アドサーバ５、及び端末６の一連の動作例について説明する。
まず、端末６の処理部６２は、利用者の指示により状態表示処理が開始すると、ログイン画面送信要求（Ｗｅｂページ送信要求）をＷｅｂサーバ４へ送信させる。
【００４１】
次に、Ｗｅｂサーバ４の処理部４２は、ログイン画面送信要求を受信すると、ログイン画面（Ｗｅｂページ）を記憶部４３から取り出し端末６へ送信させる。
次に、端末６の処理部６２は、ログイン画面を受信すると、ログイン画面に含まれている広告情報送信要求をアドサーバ５へ送信させる。
【００４２】
次に、アドサーバ５は、広告情報送信要求を受信すると、広告情報を端末６へ送信する。
次に、端末６の処理部６２は、広告情報を受信すると、その広告情報をログイン画面とともに表示部６３に表示させる。例えば、処理部６２は、図５（ａ）に示すようなログイン画面及び広告情報（「○○発売中！」）を表示部６３に表示させる。
【００４３】
次に、端末６の処理部６２は、利用者により「ＩＤ」及び「Ｐａｓｓ  Ｗｏｒｄ」として「ＡＡＡ」及び「ａａａ」が入力されると、その「ＡＡＡ」及び「ａａａ」をＷｅｂサーバ４へ送信させる。
【００４４】
次に、Ｗｅｂサーバ４の処理部４２は、「ＡＡＡ」及び「ａａａ」を受信すると、図４（ａ）に示す情報を参照して、「ＡＡＡ」及び「ａａａ」に対応する「利用者種別」として「Ｕｓｅｒ」を特定し、さらに、図４（ｂ）に示す情報を参照して、「Ｕｓｅｒ」に対応する「メニュー画面」として「メニュー画面Ａ」を特定する。
【００４５】
次に、Ｗｅｂサーバ４の処理部４２は、「メニュー画面Ａ」に対応するメニュー画面Ａ（Ｗｅｂページ）を記憶部４３から取り出し端末６へ送信させる。
次に、端末６の処理部６２は、メニュー画面Ａを受信すると、そのメニュー画面Ａを表示部６３に表示させる。例えば、処理部６２は、図５（ｂ）に示すようなメニュー画面Ａを表示部６３に表示させる。
【００４６】
次に、端末６の処理部６２は、メニュー画面Ａに示される「稼働状況情報」（「表示項目」）が利用者により選択されると、「稼働状況情報」を示す表示項目画面送信要求（Ｗｅｂページ送信要求）をＷｅｂサーバ４へ送信させる。
【００４７】
次に、Ｗｅｂサーバ４の処理部４２は、「稼働状況情報」を示す表示項目画面送信要求を受信すると、図４（ｃ）に示す情報を参照して、「稼働状況情報」に対応する「状態情報」として「状態情報Ｉ１」、「状態情報Ｉ２」、及び「状態情報Ｉ３」を特定し、その特定した「状態情報Ｉ１」、「状態情報Ｉ２」、及び「状態情報Ｉ３」を示す状態情報送信要求をデータサーバ３へ送信させる。
【００４８】
次に、データサーバ３の処理部３２は、「状態情報Ｉ１」、「状態情報Ｉ２」、及び「状態情報Ｉ３」を示す状態情報送信要求を受信すると、「状態情報Ｉ１：１、状態情報Ｉ２：充電中、状態情報Ｉ３：９０％」、「状態情報Ｉ１：２、状態情報Ｉ２：停止中、状態情報Ｉ３：ＮＵＬＬ」、及び「状態情報Ｉ１：３、状態情報Ｉ２：待機中、状態情報Ｉ３：５０％」を記憶部３３から取り出しＷｅｂサーバ４へ送信させる。
【００４９】
次に、Ｗｅｂサーバ４の処理部４２は、データサーバ３から送信される「状態情報Ｉ１：１、状態情報Ｉ２：充電中、状態情報Ｉ３：９０％」、「状態情報Ｉ１：２、状態情報Ｉ２：停止中、状態情報Ｉ３：ＮＵＬＬ」、及び「状態情報Ｉ１：３、状態情報Ｉ２：待機中、状態情報Ｉ３：５０％」を用いて、表示項目画面としての稼働状況情報画面（Ｗｅｂページ）を作成し端末６へ送信させる。
【００５０】
次に、端末６の処理部６２は、稼働状況情報画面を受信すると、その稼働状況情報画面を表示部６３に表示させる。例えば、処理部６２は、図５（ｃ）に示すような稼働状況情報画面を表示部６３に表示させる。
【００５１】
次に、利用者が販売業者である場合のデータサーバ３、Ｗｅｂサーバ４、及び端末６の一連の動作例について説明する。なお、状態表示処理が開始されてからログイン画面が表示部６３に表示されるまでの動作は、利用者がユーザである場合の対応する動作と同様であるため、その説明を省略する。
【００５２】
端末６の処理部６２は、利用者により「ＩＤ」及び「Ｐａｓｓ  Ｗｏｒｄ」として「ＢＢＢ」及び「ｂｂｂ」が入力されると、その「ＢＢＢ」及び「ｂｂｂ」をＷｅｂサーバ４へ送信させる。
【００５３】
次に、Ｗｅｂサーバ４の処理部４２は、「ＢＢＢ」及び「ｂｂｂ」を受信すると、図４（ａ）に示す情報を参照して、「ＢＢＢ」及び「ｂｂｂ」に対応する「利用者種別」として「Ｄｅａｌｅｒ」を特定し、さらに、図４（ｂ）に示す情報を参照して、「Ｄｅａｌｅｒ」に対応する「メニュー画面」として「メニュー画面Ｂ」を特定する。
【００５４】
次に、Ｗｅｂサーバ４の処理部４２は、「メニュー画面Ｂ」に対応するメニュー画面Ｂ（Ｗｅｂページ）を記憶部４３から取り出し端末６へ送信させる。
次に、端末６の処理部６２は、メニュー画面Ｂを受信すると、そのメニュー画面Ｂを表示部６３に表示させる。例えば、処理部６２は、図５（ｄ）に示すようなメニュー画面Ｂを表示部６３に表示させる。
【００５５】
次に、端末６の処理部６２は、メニュー画面Ｂに示される「稼働状況情報」（「表示項目」）及び「エラー情報」（「表示項目」）のうち、「エラー情報」が利用者により選択されると、その「エラー情報」を示す表示項目画面送信要求（Ｗｅｂページ送信要求）をＷｅｂサーバ４へ送信させる。
【００５６】
次に、Ｗｅｂサーバ４の処理部４２は、「エラー情報」を示す表示項目画面送信要求を受信すると、図４（ｃ）に示す情報を参照して、「エラー情報」に対応する「状態情報」として「状態情報Ｉ１」、「状態情報Ｉ４」、及び「状態情報Ｉ５」を特定し、その特定した「状態情報Ｉ１」、「状態情報Ｉ４」、及び「状態情報Ｉ５」を示す状態情報送信要求をデータサーバ３へ送信させる。
【００５７】
次に、データサーバ３の処理部３２は、「状態情報Ｉ１」、「状態情報Ｉ４」、及び「状態情報Ｉ５」を示す状態情報送信要求を受信すると、「状態情報Ｉ１：１、状態情報Ｉ４：ＮＵＬＬ、状態情報Ｉ５：ＮＵＬＬ」、「状態情報Ｉ１：２、状態情報Ｉ４：２０１５／０３／２０、状態情報Ｉ５：フィルタ劣化」、及び「状態情報Ｉ１：３、状態情報Ｉ４：ＮＵＬＬ、状態情報Ｉ５：ＮＵＬＬ」を記憶部３３から取り出しＷｅｂサーバ４へ送信させる。
【００５８】
次に、Ｗｅｂサーバ４の処理部４２は、データサーバ３から送信される「状態情報Ｉ１：１、状態情報Ｉ４：ＮＵＬＬ、状態情報Ｉ５：ＮＵＬＬ」、「状態情報Ｉ１：２、状態情報Ｉ４：２０１５／０３／２０、状態情報Ｉ５：フィルタ劣化」、及び「状態情報Ｉ１：３、状態情報Ｉ４：ＮＵＬＬ、状態情報Ｉ５：ＮＵＬＬ」を用いて、表示項目画面としてのエラー情報画面（Ｗｅｂページ）を作成し端末６へ送信させる。
【００５９】
次に、端末６の処理部６２は、エラー情報画面を受信すると、そのエラー情報画面を表示部６３に表示させる。例えば、処理部６２は、図５（ｅ）に示すようなエラー情報画面を表示部６３に表示させる。
【００６０】
次に、利用者が製造業者である場合のデータサーバ３、Ｗｅｂサーバ４、及び端末６の一連の動作例について説明する。なお、状態表示処理が開始されてからログイン画面が表示部６３に表示されるまでの動作は、利用者がユーザである場合の対応する動作と同様であるため、その説明を省略する。
【００６１】
端末６の処理部６２は、利用者により「ＩＤ」及び「Ｐａｓｓ  Ｗｏｒｄ」として「ＣＣＣ」及び「ｃｃｃ」が入力されると、その「ＣＣＣ」及び「ｃｃｃ」をＷｅｂサーバ４へ送信させる。
【００６２】
次に、Ｗｅｂサーバ４の処理部４２は、「ＣＣＣ」及び「ｃｃｃ」を受信すると、図４（ａ）に示す情報を参照して、「ＣＣＣ」及び「ｃｃｃ」に対応する「利用者種別」として「Ｍａｋｅｒ」を特定し、さらに、図４（ｂ）に示す情報を参照して、「Ｍａｋｅｒ」に対応する「メニュー画面」として「メニュー画面Ｃ」を特定する。
【００６３】
次に、Ｗｅｂサーバ４の処理部４２は、「メニュー画面Ｃ」に対応するメニュー画面Ｃ（Ｗｅｂページ）を記憶部４３から取り出し端末６へ送信させる。
次に、端末６の処理部６２は、メニュー画面Ｃを受信すると、そのメニュー画面Ｃを表示部６３に表示させる。例えば、処理部６２は、図５（ｆ）に示すようなメニュー画面Ｃを表示部６３に表示させる。
【００６４】
次に、端末６の処理部６２は、メニュー画面Ｃに示される「稼働状況情報」（「表示項目」）、「エラー情報」（「表示項目」）、及び「全状態情報」（「表示項目」）のうち、「全状態情報」が利用者により選択されると、その「全状態情報」を示す表示項目画面送信要求（Ｗｅｂページ送信要求）をＷｅｂサーバ４へ送信させる。
【００６５】
次に、Ｗｅｂサーバ４の処理部４２は、「全状態情報」を示す表示項目画面送信要求を受信すると、図４（ｃ）に示す情報を参照して、「全状態情報」に対応する「状態情報」として「状態情報Ｉ１」、「状態情報Ｉ２」、「状態情報Ｉ３」、「状態情報Ｉ４」、「状態情報Ｉ５」、及び「状態情報Ｉ６」を特定し、その特定した「状態情報Ｉ１」、「状態情報Ｉ２」、「状態情報Ｉ３」、「状態情報Ｉ４」、「状態情報Ｉ５」、及び「状態情報Ｉ６」を示す状態情報送信要求をデータサーバ３へ送信させる。
【００６６】
次に、データサーバ３の処理部３２は、「状態情報Ｉ１」、「状態情報Ｉ２」、「状態情報Ｉ３」、「状態情報Ｉ４」、「状態情報Ｉ５」、及び「状態情報Ｉ６」を示す状態情報送信要求を受信すると、「状態情報Ｉ１：１、状態情報Ｉ２：充電中、状態情報Ｉ３：９０％、状態情報Ｉ４：ＮＵＬＬ、状態情報Ｉ５：ＮＵＬＬ、状態情報Ｉ６：５０Ａ」、「状態情報Ｉ１：２、状態情報Ｉ２：停止中、状態情報Ｉ３：ＮＵＬＬ、状態情報Ｉ４：２０１５／０３／２０、状態情報Ｉ５：フィルタ劣化、状態情報Ｉ６：ＮＵＬＬ」、及び「状態情報Ｉ１：３、状態情報Ｉ２：待機中、状態情報Ｉ３：５０％、状態情報Ｉ４：ＮＵＬＬ、状態情報Ｉ５：ＮＵＬＬ、状態情報Ｉ６：ＮＵＬＬ」を記憶部３３から取り出しＷｅｂサーバ４へ送信させる。
【００６７】
次に、Ｗｅｂサーバ４の処理部４２は、データサーバ３から送信される「状態情報Ｉ１：１、状態情報Ｉ２：充電中、状態情報Ｉ３：９０％、状態情報Ｉ４：ＮＵＬＬ、状態情報Ｉ５：ＮＵＬＬ、状態情報Ｉ６：５０Ａ」、「状態情報Ｉ１：２、状態情報Ｉ２：停止中、状態情報Ｉ３：ＮＵＬＬ、状態情報Ｉ４：２０１５／０３／２０、状態情報Ｉ５：フィルタ劣化、状態情報Ｉ６：ＮＵＬＬ」、及び「状態情報Ｉ１：３、状態情報Ｉ２：待機中、状態情報Ｉ３：５０％、状態情報Ｉ４：ＮＵＬＬ、状態情報Ｉ５：ＮＵＬＬ、状態情報Ｉ６：ＮＵＬＬ」を用いて、表示項目画面としての全状態情報画面（Ｗｅｂページ）を作成し端末６へ送信させる。
【００６８】
次に、端末６の処理部６２は、全状態情報画面を受信すると、その全状態情報画面を表示部６３に表示させる。例えば、処理部６２は、図５（ｇ）に示すような全状態情報画面を表示部６３に表示させる。
【００６９】
例えば、ユーザは、車両１の電池１１を充電するために、少なくとも充電器２の稼働状況情報を把握することができればよく、エラー情報やその他の状態情報（充電器２の出力電流など）を把握することができなくてもよい。そこで、実施形態の状態表示システムでは、ユーザに対して図５（ｃ）に示すような稼働状況情報画面のみが表示部６３に表示されるようにデータサーバ３の記憶部３３に記憶される充電器２の状態情報をＷｅｂサーバ４の処理部４２により加工させている。
【００７０】
また、販売業者は、充電器２のメンテナンスなどを行うために、少なくとも充電器２の稼働状況情報やエラー情報を把握することができればよく、その他の状態情報（充電器２の出力電流など）を把握することができなくてもよい。そこで、実施形態の状態表示システムでは、販売業者に対して図５（ｃ）に示すような稼働状況情報画面や図５（ｅ）に示すエラー情報画面のみが表示部６３に表示されるようにデータサーバ３の記憶部３３に記憶される充電器２の状態情報をＷｅｂサーバ４の処理部４２により加工させている。
【００７１】
また、製造業者は、充電器２の製造や改良などを行うために、稼働状況情報やエラー情報だけでなく充電器２のすべての状態情報を把握することが望ましい。そこで、実施形態の状態表示システムでは、製造業者に対して、図５（ｃ）に示す稼働状況情報画面、図５（ｅ）に示すエラー情報画面、及び図５（ｇ）に示す全状態情報画面が表示部６３に表示されるようにデータサーバ３の記憶部３３に記憶される充電器２の状態情報をＷｅｂサーバ４の処理部４２により加工させている。
【００７２】
すなわち、実施形態の状態表示システムは、データサーバ３の記憶部３３に記憶される充電器２の状態情報を、Ｗｅｂサーバ４の処理部４２により、ユーザ、販売業者、及び製造業者向けの稼働状況情報、販売業者及び製造業者向けのエラー情報、並びに、製造業者向けのすべての状態情報に加工して表示部６３に表示させているため、ユーザ、販売業者、及び製造業者それぞれの利用目的に応じて、充電器２の状態情報を表示させることができる。
【００７３】
また、本発明は、以上の実施の形態に限定されるものでなく、本発明の要旨を逸脱しない範囲内で種々の改良、変更が可能である。
【符号の説明】
【００７４】
１  車両
２  充電器
３  データサーバ
４  Ｗｅｂサーバ
５  アドサーバ
６  端末
１１  電池
１２  電池監視部
１３、２１、３１、４１、６１  通信部
２２  電力供給部
２３  充電制御部
３２、４２、６２  処理部
３３、４３  記憶部
６３  表示部
【図１】
2017028896.tif 000003
【図２】
2017028896.tif 000004
【図３】
2017028896.tif 000005
【図４】
2017028896.tif 000006
【図５】
2017028896.tif 000007